(57)【要約】【課題】携帯電話機のどの製造メーカの製品でもあらゆる機種に対応できる携帯電話機の充電器を提供する。【解決手段】充電回路が内蔵された充電器本体と、移動式充電端子と携帯電話機を固定する固定板と、固定版は開閉機能と、移動式充電端子は端子台上を左右に移動ができることと、移動式充電端子は凸接続端子と、凸接続端子は上下に移動ができることを具備する。【選択図】              図１
2004159409.tif 000002
【特許請求の範囲】
【請求項１】
充電回路が内蔵された充電器本体と、上記充電器本体に移動式充電端子を具備することを特徴とする携帯電話機用の充電器。
【請求項２】
上記充電器本体は携帯電話機を固定する固定板を具備することを特徴とする請求項１記載の携帯電話機用の充電器。
【請求項３】
上記固定版は開閉機能を具備したことを特徴とする請求項１記載の携帯電話機用の充電器。
【請求項４】
上記移動式充電端子は端子台上を左右に移動ができることを特徴とする請求項１記載の携帯電話機用の充電器。
【請求項５】
上記移動式充電端子は凸接続端子を具備したことを特徴とする請求項１記載の携帯電話機用の充電器。
【請求項６】
上記移動式充電端子の凸接続端子は上下に移動ができることを特徴とする請求項１記載の携帯電話機用の充電器。
【発明の詳細な説明】
【０００１】
【発明の属する技術分野】
この発明は、携帯電話機用の充電器に関し、詳しくは、機種の違う携帯電話機でも容易にかつ簡単に充電できるようにした携帯電話機用の充電器に関する。
【０００２】
【従来の技術】
近年、携帯電話機が普及し、携帯電話機の各社製造メーカは次々に新しい機能を開発しては新製品を市場に投入している。機種によっては半年間で機種が変わるという状況も出ている。携帯電話機の機種が変わるたびに付属品としての充電器も新機種が製造されてきている。
【０００３】
【発明が解決しようとする課題】
しかし、携帯電話機の充電器は携帯電話機本体の形状の変更に伴う充電端子部の位置や寸法の変更等の単純な事情による新機種の製造であり、使用者からすれば機種の変更のたびに発生する充電器購入の無駄と外出先で充電が必要になっても、どの充電器でも充電できない不便さが起こっている。そこで、この発明は、携帯電話機のどの製造メーカの製品でもあらゆる機種に対応できる携帯電話機用の充電器を提供することを目的とする。
【０００４】
【課題を解決するための手段】
上記目的を達成するため、請求項１記載の発明は、充電回路が内蔵された充電器本体と、上記充電器本体に移動式充電端子を具備することを特徴とする。
また、請求項２記載の発明は、請求項１記載の発明において、上記充電器本体は携帯電話機を固定する固定板を具備することを特徴とする。
また、請求項３記載の発明は、請求項１記載の発明において、上記固定版は開閉機能を具備したことを特徴とする。
また、請求項４記載の発明は、請求項１記載の発明において、上記移動式充電端子は端子台上を左右に移動ができることを特徴とする。
また、請求項５記載の発明は、請求項１記載の発明において、上記移動式充電端子は凸接続端子を具備したことを特徴とする。
また、請求項６記載の発明は、請求項１記載の発明において、上記移動式充電端子の凸接続端子は上下に移動ができることを特徴とする。
【０００５】
【発明の実施形態】
以下、この発明に係わる携帯電話機の充電器の実施形態を添付図面を参照して詳細に説明する。
図１は、この発明に係わる携帯電話機用の充電器の実施形態を示す斜視図である。
また、図２は図１に示した携帯電話機用の充電器の要部断面図である。
また、図３は図１に示した携帯電話機の底部と携帯電話機用の充電器を上部から見た図である。
また、図４は図１に示した携帯電話機用の充電器の移動式充電端子の凸接続端子の位置の斜視図である。
図１、図２において、携帯電話機１は折りたたみ式の携帯電話機図であり、携帯電話機用の充電器２に携帯電話機１は上から差し込まれる。携帯電話機用の充電器２には端子台３が具備されている。端子台３の上に移動式充電端子４が具備されている。移動式充電端子４は端子台３の上部面に移動溝５が三角状に掘られており移動式充電端子の三角状の底部がこの移動溝５にはめ込まれて脱落できない形状になっており移動を容易にしている。端子台３の両側面に固定板６Ａと６Ｂが具備されている。固定板６Ａと６Ｂはそれぞれ内側に緩衝材７が貼り付けられて携帯電話機１を安定よく固定している。固定板６Ａと６Ｂの底部は開閉の動きを容易にする円形状に加工されて固定台８の円形の穴に装着されている。また固定板６Ａと６Ｂは携帯電話機１を締め付けて固定するために下部にスプリングバネ９が端子台３に接続されている。固定板６Ａと６Ｂは手で外側に開くとスプリングバネ９が伸びる、手を離すとスプリングバネ９が縮んで固定板６Ａと６Ｂを内側に締め付ける。固定台８の内部に充電回路１０（図示しない）が内蔵される。移動式充電端子４の上部の凸接続端子１１と充電回路１０は接続されている。電源は家庭用のＡＣ１００Ｖにコンセント１１を接続する。コンセント１１からの電源は充電回路１０に供給されている。
図３は、折りたたみ式の携帯電話機の底部であり、携帯電話機端子台１３の両端に携帯電話機充電端子１２がプラス側電極とマイナス側電極に分かれて装備されている。大半の携帯電話機の充電端子はこのような形状をしているが、製造メーカによって、また機種によってプラス側電極とマイナス側電極の大きさや距離が違って製造されている。
端子台３の上部に掘られた移動溝５にはめ込まれた移動式充電端子４Ａと４Ｂは左右に移動溝５に沿って移動することができる。移動式充電端子４Ａと４Ｂの下部の三角状の底部は電極板が埋め込まれており、端子台３の移動溝５の底部にも電極板が埋め込まれており常時接触している。携帯電話機のプラス側電極とマイナス側電極に移動式充電端子４Ａと４Ｂの凸接続端子１１が直接接触するように合わせる、図４が示すように凸接続端子は上下に移動ができる、移動式充電端子４Ａ、４Ｂと凸接続端子を上下左右に移動して携帯電話機のプラス側電極とマイナス側電極に凸接続端子を確実に接触面に合わせることができる。これによりＡＣ１００Ｖ電源をコンセント１１から充電回路１０を経由して移動式充電端子４の上部の凸接続端子から携帯電話機充電端子１２を経由して携帯電話機１に充電する。凸接続端子と携帯電話機のプラス側電極とマイナス側電極の接続面は同一寸法の必要性はない。また携帯電話機のプラス側電極とマイナス側電極の形状が図３に示す形状と極端に違った形状の製品が発売されても、充電器本体はそのまま使用し移動式充電端子４を取り替えるだけで対応が可能である。
【０００６】
【実施例】
【０００７】
【発明の効果】
以上説明したようにこの発明の携帯電話機用の充電器によれば、固定板と移動式充電端子と凸接続端子等を具備して構成したので、各種の携帯電話機のプラスとマイナスの電極に接続が可能になり、携帯電話機を買い換えても外出先で急遽充電が必要になっても資することができるという効果を奏する。
【図面の簡単な説明】
【図１】この発明に係わる携帯電話機用の充電器の実施形態を示す斜視図である。
【図２】図１に示した携帯電話機用の充電器の要部断面図である。
【図３】図１および図２に示した携帯電話機の底部と携帯電話機用の充電器を上部から見た図である。
【図４】図１、図２、図３に示した移動式充電端子および凸接続端子の移動を示した図である。
【符号の説明】
１携帯電話機
２携帯電話機用の充電器
３端子台
４Ａ移動式充電端子Ａ
４Ｂ移動式充電端子Ｂ
５移動溝
６Ａ固定板Ａ
６Ｂ固定板Ｂ
７緩衝材
８固定台
９スプリングバネ
１０充電回路
１１コンセント
１２携帯電話機充電端子
１３携帯電話機端子台
１４電極板
【図１】
2004159409.tif 000003
【図２】
2004159409.tif 000004
【図３】
2004159409.tif 000005
【図４】
2004159409.tif 000006